(57)【要約】【課題】位置合わせを容易に且つ精度良く行うことができる被覆除去器を提供する。【解決手段】被覆除去器１は、ヒンジ部１３を介して互いに近接及び離間する方向に回動し、互いに開閉可能に設けられた第１把持部３及び第２把持部５と、第１把持部３及び第２把持部５のそれぞれに設けられ、第１把持部３及び第２把持部５が閉じたときに互いに対向する位置に配置された第１及び第２刃部７，９と、第１把持部３及び第２把持部５が閉じられたときに、第１及び第２刃部７，９の位置決めを行う位置決め部１１とを備える。【選択図】図１
2014182336.tif 000002
【特許請求の範囲】
【請求項１】
光ファイバを被覆部で被覆してなる光ファイバ心線の前記被覆部を除去する被覆除去器であって、
ヒンジ部を介して互いに近接及び離間する方向に回動し、互いに開閉可能に設けられた第１把持部及び第２把持部と、
前記第１把持部及び前記第２把持部のそれぞれに設けられ、前記第１把持部及び前記第２把持部が閉じたときに互いに対向する位置に配置された第１及び第２刃部と、
前記第１把持部及び前記第２把持部が閉じたときに、前記第１及び第２刃部の位置決めを行う位置決め部と、を備えることを特徴とする被覆除去器。
【請求項２】
前記位置決め部は、
前記第１把持部及び前記第２把持部の少なくとも一方に設けられ、他方の把持部側に突出した突起部と、
前記他方の把持部に設けられ、前記第１把持部及び前記第２把持部が閉じたときに前記突起部と係合する係合部と、を有することを特徴とする請求項１記載の被覆除去器。
【請求項３】
前記位置決め部は、前記第１及び第２刃部の近傍に配置されていることを特徴とする請求項１又は２記載の被覆除去器。
【請求項４】
前記突起部は、角錐台形状を呈していることを特徴とする請求項２又は３記載の被覆除去器。
【発明の詳細な説明】
【技術分野】
【０００１】
本発明は、光ファイバ心線の被覆部を除去する被覆除去器に関する。
【背景技術】
【０００２】
従来の被覆除去器として、例えば特許文献１に記載されたものが知られている。特許文献１に記載の被覆除去器は、一端にヒンジ機構を有する相対向する把手の他端に、光ファイバ心線の被覆部を挟持するクランプ部と、光ファイバ心線の被覆部に切込み傷を付与する付傷刃と、を備えている。この被覆除去器では、光ファイバ心線をクランプ部で挟持しながら付傷刃で光ファイバ心線の被覆部に切込み傷を与え、光ファイバ心線を引き抜くことにより被覆部を除去する。
【先行技術文献】
【特許文献】
【０００３】
【特許文献１】特開平１０−１１５７１５号公報
【発明の概要】
【発明が解決しようとする課題】
【０００４】
光ファイバ心線の被覆を除去する際には、被覆部に切り込む刃部の位置にずれが生じると、被覆部を良好に除去できないおそれがある。そのため、被覆除去器では、刃の位置を高精度に合わせなければならない。従来では、被覆除去器の各部品の製造公差、組立て精度を高めることにより、刃部の位置合わせの精密性を確保していた。しかしながら、各部品の寸法精度は使用に伴い劣化することがあるため、刃部の位置合わせの精度を常に確保することが困難となるおそれがある。
【０００５】
本発明は、刃部の位置合わせを容易に且つ精度良く行うことができる被覆除去器を提供することを目的とする。
【課題を解決するための手段】
【０００６】
本発明に係る被覆除去器は、光ファイバを被覆部で被覆してなる光ファイバ心線の被覆部を除去する被覆除去器であって、ヒンジ部を介して互いに近接及び離間する方向に回動し、互いに開閉可能に設けられた第１把持部及び第２把持部と、第１把持部及び第２把持部のそれぞれに設けられ、第１把持部及び第２把持部が閉じたときに互いに対向する位置に配置された第１及び第２刃部と、第１把持部及び第２把持部が閉じたときに、第１及び第２刃部の位置決めを行う位置決め部と、を備えることを特徴とする。
【０００７】
この被覆除去器では、第１把持部及び第２把持部が閉じられたときに、一対の刃部の位置合わせを行う位置決め部を備えている。これにより、被覆除去器では、被覆部を除去する際、第１把持部と第２把持部が閉じられたときに、一対の刃部の位置が位置決め部により調整され、刃部が互いに対向する所定の位置となる。したがって、被覆除去器では、第１刃部と第２刃部との位置合わせを容易に且つ精度良く行うことができる。
【０００８】
一実施形態においては、位置決め部は、第１把持部及び第２把持部の少なくとも一方に設けられ、他方の把持部側に突出した突起部と、他方の把持部に設けられ、第１把持部及び第２把持部が閉じたときに突起部と係合する係合部と、を有していてもよい。これにより、被覆除去器では、第１把持部及び第２把持部が閉じたときに突起部が係合部と係合するため、第１及び第２刃部の位置決めを行うことができると共に、その位置関係を保持できる。
【０００９】
一実施形態においては、位置決め部は、第１及び第２刃部の近傍に配置されていてもよい。これにより、被覆除去器では、刃部の位置合わせをより精度良く行うことができる。
【００１０】
一実施形態においては、突起部は、角錐台形状を呈していてもよい。これにより、被覆除去器では、刃部の位置合わせをより精度良く行うことができる。
【発明の効果】
【００１１】
本発明によれば、刃部の位置合わせを容易に且つ精度良く行うことができる。
【図面の簡単な説明】
【００１２】
【図１】一実施形態に係る被覆除去器を示す斜視図である。
【図２】図１に示す被覆除去器を他の方向から示す斜視図である。
【図３】被覆除去器を下方から示す斜視図である。
【図４】光ファイバ心線の断面構成を示す図である。
【図５】図１に示す被覆除去器を前から見た図である。
【図６】図５におけるＶＩ−ＶＩ線での断面構成を示す図である。
【図７】（ａ）は被覆除去器が開いた状態の側面図であり、（ｂ）は（ａ）におけるｂ−ｂ線での断面構成を示す図である。
【図８】（ａ）は被覆除去器が閉じた状態の側面図であり、（ｂ）は（ａ）におけるｂ−ｂ線での断面構成を示す図である。
【図９】被覆除去器による光ファイバ心線の被覆部の除去方法を説明する図である。
【図１０】他の形態に係る被覆除去器を示す図である。
【図１１】他の形態に係る被覆除去器の断面構成を示す図である。
【図１２】他の形態に係る被覆除去器を示す斜視図である。
【図１３】スライドガイドが引き出された状態を示す斜視図である。
【図１４】スライドガイドに光ファイバ支持具が配置された状態を示す斜視図である。
【発明を実施するための形態】
【００１３】
以下、添付図面を参照して、本発明の好適な実施形態について詳細に説明する。なお、図面の説明において同一又は相当要素には同一符号を付し、重複する説明は省略する。
【００１４】
図１は、一実施形態に係る被覆除去器を示す斜視図である。図２は、図１に示す被覆除去器を他の方向から示す斜視図である。図３は、被覆除去器を下方から示す斜視図である。各図に示す被覆除去器１は、光ファイバ心線の被覆部を除去するための機器である。
【００１５】
最初に、被覆除去器１により被覆部が除去される光ファイバ心線について説明する。図４は、光ファイバ心線の断面構成を示す図である。図４に示すように、光ファイバ心線１００は、光ファイバ（ガラスファイバ）１０２と、この光ファイバ１０２と被覆する第１被覆部１０４と、第１被覆部１０４を被覆する第２被覆部１０６と、からなる。光ファイバ１０２の直径は、例えば０．１２５ｍｍ、第１被覆部１０４の直径は、例えば０．２５ｍｍ、第２被覆部１０６の直径は、例えば０．９ｍｍである。本実施形態では、被覆除去器１は、光ファイバ心線１００の第２被覆部１０６を除去する。なお、被覆除去器１は、第１被覆部１０４を除去することもできる。
【００１６】
続いて、被覆除去器１について説明する。図５は、図１に示す被覆除去器を前から見た図である。図６は、図５におけるＶＩ−ＶＩ線での断面構成を示す図である。図７（ａ）は被覆除去器が開いた状態の側面図であり、図７（ｂ）は図７（ａ）におけるｂ−ｂ線での断面構成を示す図である。図８（ａ）は被覆除去器が閉じた状態の側面図であり、図８（ｂ）は図８（ａ）におけるｂ−ｂ線での断面構成を示す図である。
【００１７】
被覆除去器１は、第１把持部３と、第２把持部５と、第１刃部７と、第２刃部９と、位置決め部１１と、を備えている。
【００１８】
第１把持部３及び第２把持部５は、作業者により把持される部分である。第１把持部３及び第２把持部５は、ヒンジ部１３を介して連結されている。ヒンジ部１３は、第１把持部３及び第２把持部５の一端部（基端部）に配置されている。第１把持部３及び第２把持部５は、ヒンジ部１３を支点に回動して互いに近接及び離間する方向に移動し、開閉可能に設けられている。ヒンジ部１３には、図示しないばねが配置されており、第１把持部３及び第２把持部５は、初期状態において、第１把持部３と第２把持部５とが離間して開放された状態（第１把持部３と第２把持部５とが離間して略Ｖ字形状を呈する状態）とされている。
【００１９】
第１把持部３は、手押部１５を有している。手押部１５は、光ファイバ心線１００の第２被覆部１０６を除去する際に、第１把持部３において第２把持部５側に押圧される部分である。手押部１５は、第１把持部３の他端部（先端部）に配置されている。手押部１５には、窪み部１５ａが設けられている。窪み部１５ａは、湾曲した形状を呈している。なお、以下では、第１把持部３の一端部側を「後」、他端部側を「前」とする。
【００２０】
図３及び図５に示すように、第１把持部３は、クランプ部材２０，２２を有している。クランプ部材２０，２２は、被覆除去器１において光ファイバ心線１００を後述するクランプ部材２８との協働で挟持する。クランプ部材２０，２２は、第１把持部３の幅方向（図５における左右方向）に沿って延在する板状の部材であり、第１把持部３の他端部に配置されている。クランプ部材２０，２２は、第１把持部３の前後方向（図６における図示左右方向）において所定の間隔をあけて対向配置されている。
【００２１】
クランプ部材２０には、クランプ部２０ａ，２０ｂが設けられている。クランプ部２０ａ，２０ｂは、クランプ部材２０において、所定の間隔をあけて配置されている。クランプ部材２２には、クランプ部２２ａ，２２ｂが設けられている。クランプ部２２ａ，２２ｂは、クランプ部材２２において、所定の間隔をあけて配置されている。クランプ部２０ａ，２０ｂ，２２ａ，２２ｂは、略Ｖ字形状を呈しており、光ファイバ心線１００を押圧すると共に、光ファイバ心線１００の位置決めをする。図５に示すように、クランプ部２０ａとクランプ部２２ａとは、第１把持部３の前方から見て同じ位置に配置されている。クランプ部２０ｂとクランプ部２２ｂとは、第１把持部３の前方から見て同じ位置に配置されている。すなわち、クランプ部２０ａ，２２ａ、クランプ部２０ｂ，２２ｂに配置された光ファイバ心線１００は、直線的に配置される。
【００２２】
図５に示すように、第１把持部３には、位置決め部材２３が設けられている。位置決め部材２３は、略三角形形状を呈しており、角部が第２把持部５側を向いている。位置決め部材２３は、第１把持部３と第２把持部５とが閉じたときに、後述する位置決め部材２６の位置決め部２６ａに位置し、位置決め部２６ａとの協働で光ファイバ心線１００を位置決めする。
【００２３】
第１把持部３の前端部には、第１支持部２４が設けられている。第１支持部２４は、第２把持部５の前端部に設けられた第２支持部３０（後述）との協働で光ファイバ心線１００を支持する。第１支持部２４は、第１把持部３の幅方向において一端部側に配置されている。詳細には、第１支持部２４は、クランプ部２０ｂが位置する側に配置されている。第１支持部２４は、板状の部材であり、係合部２４ａが設けられている。係合部２４ａは、略Ｖ字形状を呈している。図５に示すように、係合部２４ａの頂部は、第１把持部３の前方から見て、クランプ部２０ｂ，２２ｂの頂部と同じ位置に配置されている。
【００２４】
第２把持部５は、位置決め部材２６を有している。位置決め部材２６は、被覆除去器１において位置決め部材２３との協働で光ファイバ心線１００を位置決めする。位置決め部材２６は、第２把持部５の幅方向に沿って延在する板状の部材であり、第２把持部５の他端部に配置されている。位置決め部材２６には、位置決め部２６ａ，２６ｂが設けられている。位置決め部２６ａ，２６ｂは、位置決め部材２６において、所定の間隔をあけて配置されている。位置決め部２６ａ，２６ｂは、略Ｖ字形状を呈している。
【００２５】
第２把持部５は、クランプ部材２８を有している。クランプ部材２８は、被覆除去器１においてクランプ部材２０，２２との協働で光ファイバ心線１００を挟持する。クランプ部材２８は、第２把持部５の幅方向に沿って延在する板状の部材であり、第２把持部５の他端部に配置されている。クランプ部材２８は、位置決め部材２６と所定の間隔を空けて配置されており、位置決め部材２６の後方に位置している。クランプ部材２８は、第１把持部３と第２把持部５とが閉じたときに、クランプ部材２０とクランプ部材２２との間に位置する。
【００２６】
クランプ部材２８には、クランプ部２８ａ，２８ｂが設けられている。クランプ部２８ａ，２８ｂは、クランプ部材２８において、所定の間隔をあけて配置されている。クランプ部２８ａ，２８ｂは、略Ｖ字形状を呈している。位置決め部２６ａとクランプ部２８ａとは、第２把持部５の前方から見て同じ位置に配置されている。位置決め部２６ｂとクランプ部２８ｂとは、第２把持部５の前方から見て同じ位置に配置されている。すなわち、位置決め部２６ａとクランプ部２８ａ、位置決め部２６ｂとクランプ部２８ｂに配置された光ファイバ心線１００は、直線的に配置される。
【００２７】
第２把持部５の前端部には、第１支持部２４との協働で光ファイバ心線１００を支持する第２支持部３０が設けられている。第２支持部３０は、略三角形形状を呈しており、第１支持部２４の係合部２４ａに係合する。光ファイバ心線１００は、第１支持部２４の係合部２４ａと第２支持部３０の頂部との間で支持される。
【００２８】
第１刃部７は、光ファイバ心線１００の第２被覆部１０６に切込みを入れる。第１刃部７は、第１把持部３に設けられている。第１刃部７は、第１把持部３の他端部側に配置されている。第１刃部７は、クランプ部材２０の前方に配置されている。第１刃部７の切込み量は、調整可能とされている。
【００２９】
第２刃部９は、光ファイバ心線１００の第２被覆部１０６に切込みを入れる。第２刃部９は、第２把持部５に設けられている。第２刃部９は、第２把持部５の他端部側に配置されている。第２刃部９は、ファイバ位置決め部材２６とクランプ部材２８との間に配置されている。第２刃部９の切込み量は、調整可能とされている。
【００３０】
第１刃部７と第２刃部９とは、第１把持部３及び第２把持部５が閉じたときに、互いに対向する位置に配置されている。第１刃部７及び第２刃部９には、光ファイバ心線１００に対応する位置に、Ｖ字形状又はＵ字形状の溝（図示しない）が設けられている。
【００３１】
位置決め部１１は、第１把持部３と第２把持部５とが閉じたときに、第１把持部３と第２把持部５との位置決めを行い、第１刃部７と第２刃部９とを位置決めする。位置決め部１１は、突起部３２と、係合部３４と、を有している。
【００３２】
突起部３２は、第１把持部３に設けられている。突起部３２は、第１把持部３の他端部に設けられており、幅方向の両端部にそれぞれ配置されている。突起部３２は、第１刃部７の近傍に配置されており、具体的には、第１刃部７の後方に位置している。突起部３２は、第１把持部３から第２把持部５側に突出しており、第１把持部３及び第２把持部５が閉じたときに、第２把持部５の領域に位置している。
【００３３】
突起部３２は、略四角錐台形状を呈している。突起部３２は、図７（ａ）及び図８（ａ）に示すように、側面側から見たときに略台形形状を呈していると共に、図７（ｂ）及び図８（ｂ）に示すように、前側から見たときに略台形形状を呈している。
【００３４】
係合部３４は、第２把持部５に設けられている。係合部３４は、第１把持部３及び第２把持部５が閉じたときに、突起部３２に対応する位置に配置されている。すなわち、係合部３４は、第２把持部５における幅方向の両端部に設けられている。係合部３４は、突起部３２に対応する形状を呈しており、突起部３２を収容する略四角錐台形状の空間を画成している。詳細には、係合部３４は、図７（ａ）及び図８（ａ）に示すように、側面側から見たときに略台形形状を呈していると共に、図７（ｂ）及び図８（ｂ）に示すように、前側から見たときに略台形形状を呈している。
【００３５】
続いて、上述の構成を有する被覆除去器１による第２被覆部１０６の除去方法について説明する。図９は、被覆除去器による光ファイバ心線の被覆部の除去方法を説明する図である。図９に示すように、まず光ファイバ心線１００を位置決め部材２６の位置決め部２６ａ及びクランプ部材２８のクランプ部２８ａに配置する。次に、光ファイバ心線１００を軸方向に移動させて、第２被覆部１０６を除去する位置を調節する。
【００３６】
続いて、第１把持部３の手押部１５を第２把持部５側に押圧し、第１把持部３と第２把持部５とを閉じる。このとき、第１把持部３の突起部３２が第２把持部５の係合部３４に係合し、第１把持部３と第２把持部５、すなわち第１刃部７と第２刃部９とが位置決めされる。また、光ファイバ心線１００の第２被覆部１０６に、第１刃部７及び第２刃部９が食い込むと共に、クランプ部２０ａ，２２ａ，２８ａにより光ファイバ心線１００が挟持される。そして、第１把持部３及び第２把持部５を閉じた状態で、光ファイバ心線１００を引っ張る。これにより、第１及び第２刃部７，９により切込みが入れられた箇所を起点に第２被覆部１０６が裂け、光ファイバ心線１００の第２被覆部１０６を除去できる。
【００３７】
以上説明したように、本実施形態の被覆除去器１は、位置決め部１１を備えている。位置決め部１１は、突起部３２と係合部３４とを有し、突起部３２と係合部３４とは、第１把持部３と第２把持部５とが閉じたときに係合する。これにより、被覆除去器１では、第１把持部３と第２把持部５とが閉じたときに、第１把持部３と第２把持部５とが位置決めされ、第１刃部７と第２刃部９とが位置決めされる。したがって、被覆除去器１では、第１刃部７と第２刃部９との位置合わせを容易に且つ精度良く行うことができる。
【００３８】
本実施形態では、第１把持部３及び第２把持部５が閉じたときに突起部３２が係合部３４と係合するため、第１刃部７と第２刃部９との位置決めを行うことができると共に、その位置関係を保持できる。したがって、被覆除去器１では、第１刃部７と第２刃部９とが噛み合った状態を保持できる。
【００３９】
本発明は、上記実施形態に限定されるものではない。上記実施形態では、突起部３２を略四角錐台形状とし、係合部３４を突起部３２に対応する形状としているが、突起部及び係合部の形状はこれに限定されない。突起部及び係合部の形状は、例えば図１０に示す形状であってもよい。図１０は、他の形態に係る被覆除去器を示す図である。
【００４０】
図１０に示すように、被覆除去器１Ａの第１把持部３Ａは、突起部３２Ａを有しており、第２把持部５Ａは、係合部３４Ａを有している。突起部３２Ａは、図１０（ａ）に示すように、側面側から見たときに略半円形状を呈している。また、突起部３２Ａは、図１０（ｂ）に示すように、球面を有している。係合部３４Ａは、突起部３２Ａに対応する形状とされており、球面とされている。
【００４１】
また、突起部及び係合部は、例えば図１１に示す形状であってもよい。図１１は、他の形態に係る被覆除去器の断面構成を示す図である。図１１に示すように、被覆除去器１Ｂでは、位置決め部１１Ｂを備えている。位置決め部１１Ｂは、第１把持部３Ｂに設けられた突起部３２Ｂと係合部３２Ｃ、第２把持部５Ｂに設けられた突起部３４Ｂと係合部３４Ｃから構成されている。突起部３２Ｂと係合部３４Ｃとが係合し、突起部３４Ｂと係合部３２Ｃとが係合する。
【００４２】
上記実施形態に加えて、被覆除去器１は、スライドガイドを備えていてもよい。図１２は、他の形態に係る被覆除去器を示す斜視図である。図１３は、スライドガイドが引き出された状態を示す斜視図である。図１４は、スライドガイドに光ファイバ支持具が配置された状態を示す斜視図である。
【００４３】
図１２〜図１４に示すように、被覆除去器１には、スライドガイド４０が取り付けられている。図１３に示すように、スライドガイド４０は、２本のスライドシャフト４１ａ，４１ｂにより被覆除去器１に連結されている。具体的には、被覆除去器１には、第２把持部５の前端部に挿通孔Ｈ１，Ｈ２が互いに所定の間隔を有して離間して配置されており、スライドシャフト４１ａ，４１ｂは、挿通孔Ｈ１，Ｈ２のそれぞれに挿通されている。スライドシャフト４１ａ，４１ｂの先端部（第２把持部５に挿入されている側の端部）には、図示しない固定具（Ｃ形留め輪）が設けられており、スライドシャフト４１ａ，４１ｂは、固定具により被覆除去器１の挿通孔Ｈ１，Ｈ２から抜けないようになっている。
【００４４】
スライドガイド４０は、スライドシャフト４１ａ，４１ｂに沿って前後方向に移動可能とされている。図１４に示すように、スライドガイド４０には、光ファイバ支持具４２が配置される。光ファイバ支持具４２は、光ファイバ心線１００を支持（保持）する治具である。
【００４５】
スライドガイド４０を用いて光ファイバ心線１００の第２被覆部１０６を除去する方法について説明する。まず、図１２に示すように、スライドガイド４０を第２把持部５に近接させた位置に配置する。次に、光ファイバ心線１００を光ファイバ支持具４２に固定し、スライドガイド４０に光ファイバ支持具４２をセットする。このとき、光ファイバ心線１００は、位置決め部材２６の位置決め部２６ａ及びクランプ部材２８のクランプ部２８ａに配置される。
【００４６】
続いて、第１把持部３の手押部１５を第２把持部５側に押圧し、第１把持部３と第２把持部５とを閉じる。このとき、第１把持部３の突起部３２が第２把持部５の係合部３４に係合し、第１把持部３と第２把持部５、すなわち第１刃部７と第２刃部９とが位置決めされる。また、光ファイバ心線１００の第２被覆部１０６に、第１刃部７及び第２刃部９が食い込むと共に、クランプ部２０ａ，２２ａ，２８ａにより光ファイバ心線１００が挟持される。そして、第１把持部３及び第２把持部５を閉じた状態で、光ファイバ支持具４２と共にスライドガイド４０を第２把持部５から離間する方向に移動させる。これにより、第１及び第２刃部７，９により切込みが入れられた箇所を起点に第２被覆部１０６が裂け、光ファイバ心線１００の第２被覆部１０６を除去できる。
【符号の説明】
【００４７】
１，１Ａ，１Ｂ…被覆除去器、３…第１把持部、５…第２把持部、７…第１刃部、９…第２刃部、１１，１１Ａ，１１Ｂ…位置決め部、３２，３２Ａ，３２Ｂ，３４ｂ…突起部、３２ｃ，３４，３４Ａ，３４Ｃ…係合部、１００…光ファイバ心線、１０６…第２被覆部。
【図１】
2014182336.tif 000003
【図２】
2014182336.tif 000004
【図３】
2014182336.tif 000005
【図４】
2014182336.tif 000006
【図５】
2014182336.tif 000007
【図６】
2014182336.tif 000008
【図７】
2014182336.tif 000009
【図８】
2014182336.tif 000010
【図９】
2014182336.tif 000011
【図１０】
2014182336.tif 000012
【図１１】
2014182336.tif 000013
【図１２】
2014182336.tif 000014
【図１３】
2014182336.tif 000015
【図１４】
2014182336.tif 000016